(57)【特許請求の範囲】
【請求項１】
薬局において処方箋の情報を入力させる処方箋入力装置であり、
複数の医薬品の情報を記憶する医薬品記憶部と、
医薬品及び気象条件毎に、優先度を記憶する気象優先度記憶部と、
気象条件を取得する気象条件取得部と、
前記医薬品記憶部が記憶した各医薬品の情報を、その医薬品と、前記気象条件取得部が取得した気象条件とに対して、前記気象優先度記憶部が記憶した優先度が高いほど優先して表示する表示部と、
前記表示部が表示した医薬品の情報から、ユーザによって選択された医薬品の情報の入力を受け付ける入力部と
を備えることを特徴とする処方箋入力装置。
【請求項２】
前記処方箋入力装置は、さらに、
医薬品及び季節毎に、優先度を記憶する季節優先度記憶部と、
季節を示す季節情報を取得する季節情報取得部と
を備え、
前記表示部は、前記各医薬品の情報を、その医薬品と、前記季節情報取得部が取得した季節情報が示す季節とに対して、前記季節優先度記憶部が記憶した優先度が高いほど優先して表示する
ことを特徴とする請求項１に記載の処方箋入力装置。
【請求項３】
前記処方箋入力装置は、さらに、
医薬品及び患者毎に、優先度を記憶する患者優先度記憶部と、
患者を示す患者情報を取得する患者情報取得部と
を備え、
前記表示部は、前記各医薬品の情報を、その医薬品と、前記患者情報取得部が取得した患者情報が示す患者とに対して、前記患者優先度記憶部が記憶した優先度が高いほど優先して表示する
ことを特徴とする請求項２に記載の処方箋入力装置。
【請求項４】
前記処方箋入力装置は、さらに、
医薬品及び医療機関毎に、優先度を記憶する医療機関優先度記憶部と、
医療機関を示す医療機関情報を取得する医療機関情報取得部と
を備え、
前記表示部は、前記各医薬品の情報を、その医薬品と、前記医療機関情報取得部が取得した医療機関情報が示す医療機関とに対して、前記医療機関優先度記憶部が記憶した優先度が高いほど優先して表示する
ことを特徴とする請求項３に記載の処方箋入力装置。
【請求項５】
前記表示部は、前記各医薬品の情報を、その医薬品について、前記気象優先度記憶部と前記季節優先度記憶部と前記患者優先度記憶部と前記医療機関優先度記憶部との少なくとも２つ以上が記憶した優先度から計算される混合優先度が高いほど優先して表示する
ことを特徴とする請求項４に記載の処方箋入力装置。
【請求項６】
前記気象優先度記憶部が記憶する優先度と、前記季節優先度記憶部が記憶する優先度と、前記患者優先度記憶部が記憶する優先度と、前記医療機関優先度記憶部が記憶する優先度との値の大きさは、どの記憶部が記憶する優先度を重視するかによって変更される
ことを特徴とする請求項４又は５に記載の処方箋入力装置。
【請求項７】
前記表示部は、前記各医薬品の情報の一覧を表示し、優先して表示する医薬品の情報ほど、前記一覧の上位に表示する
ことを特徴とする請求項１から６のいずれかに記載の処方箋入力装置。
【請求項８】
前記処方箋入力装置は、さらに、
検索条件を入力する検索条件入力部と、
前記検索条件入力部が入力した検索条件を満たす医薬品の情報を前記医薬品記憶部から取得する医薬品情報取得部と
を備え、
前記表示部は、前記医薬品情報取得部が取得した医薬品の情報を表示する
ことを特徴とする請求項１から７のいずれかに記載の処方箋入力装置。
【請求項９】
薬局において処方箋の情報を入力させる処方箋入力プログラムであり、
気象条件を取得する気象条件取得処理と、
記憶装置に記憶された各医薬品の情報を、その医薬品と、前記気象条件取得処理で取得した気象条件とに対して、記憶装置に記憶された優先度が高いほど優先して表示する表示処理と、
前記表示処理で表示した医薬品の情報から、ユーザによって選択された医薬品の情報の入力を受け付ける入力処理と
をコンピュータに実行させることを特徴とする処方箋入力プログラム。
【発明の詳細な説明】
【技術分野】
【０００１】
この発明は、薬局において、紙に印刷された処方箋の情報をレセプトコンピュータに入力するための技術に関する。
【背景技術】
【０００２】
医療機関では処方した医薬品情報等を紙に印刷した処方箋を患者に渡す。患者は、薬局で薬剤師等に処方箋を渡し、処方された医薬品を受け取る。
薬局では、渡された処方箋に印刷された情報を、レセプトコンピュータに入力する。薬局では、レセプトコンピュータに処方箋の情報を入力して、患者に医薬品とともに渡す医薬品の案内票を作成するとともに、医療保険の保険者に調剤報酬の請求を行う。
【０００３】
レセプトコンピュータでは、キーボードにより患者の情報や医薬品情報を入力する。医薬品は多数あるため、医薬品の略称（コード）を入力して、検索を行い、医薬品情報を読み出すことにより、医薬品情報の入力についての作業の負荷軽減が図られている。
【先行技術文献】
【特許文献】
【０００４】
【特許文献１】特開２００４−３１８５２０号公報
【特許文献２】特開２０１１−１８０９２７号公報
【発明の概要】
【発明が解決しようとする課題】
【０００５】
しかし、処方箋には医薬品の略称は記載されていない。この場合には、入力者が、処方箋に記載された薬品名に対応する略称を知っていなければ検索を行うことはできない。そのため、従来の入力方法では、薬品名に対応する略称を熟知している入力者であれば、効率的に入力可能であるものの、薬品名に対応する略称を熟知していない入力者には入力の難易度が高く、入力に時間がかかってしまう。
【０００６】
また、検索等しなくても、入力する医薬品情報がある程度特定される場合もある。しかし、従来の入力方法では、医薬品の入力の都度、必ず検索を行わなければ医薬品情報を呼び出すことができず、入力に時間がかかってしまう。
【０００７】
この発明は、薬局における処方箋の情報の入力作業を効率的に行えるようにすることを目的とする。
【課題を解決するための手段】
【０００８】
この発明に係る処方箋入力装置は、
複数の医薬品の情報を記憶する医薬品記憶部と、
医薬品及び気象条件毎に、優先度を記憶する気象優先度記憶部と、
気象条件を取得する気象条件取得部と、
前記医薬品記憶部が記憶した各医薬品の情報を、その医薬品と、前記気象条件取得部が取得した気象条件とに対して、前記気象優先度記憶部が記憶した優先度が高いほど優先して表示する表示部と、
前記表示部が表示した医薬品の情報から、ユーザによって選択された医薬品の情報の入力を受け付ける入力部と
を備えることを特徴とする。
【０００９】
前記処方箋入力装置は、さらに、
医薬品及び季節毎に、優先度を記憶する季節優先度記憶部と、
季節を示す季節情報を取得する季節情報取得部と
を備え、
前記表示部は、前記各医薬品の情報を、その医薬品と、前記季節情報取得部が取得した季節情報が示す季節とに対して、前記季節優先度記憶部が記憶した優先度が高いほど優先して表示する
ことを特徴とする。
【００１０】
前記処方箋入力装置は、さらに、
医薬品及び患者毎に、優先度を記憶する患者優先度記憶部と、
患者を示す患者情報を取得する患者情報取得部と
を備え、
前記表示部は、前記各医薬品の情報を、その医薬品と、前記患者情報取得部が取得した患者情報が示す患者とに対して、前記患者優先度記憶部が記憶した優先度が高いほど優先して表示する
ことを特徴とする。
【００１１】
前記処方箋入力装置は、さらに、
医薬品及び医療機関毎に、優先度を記憶する医療機関優先度記憶部と、
医療機関を示す医療機関情報を取得する医療機関情報取得部と
を備え、
前記表示部は、前記各医薬品の情報を、その医薬品と、前記医療機関情報取得部が取得した医療機関情報が示す医療機関とに対して、前記医療機関優先度記憶部が記憶した優先度が高いほど優先して表示する
ことを特徴とする。
【００１２】
前記表示部は、前記各医薬品の情報を、その医薬品について、前記気象優先度記憶部と前記季節優先度記憶部と前記患者優先度記憶部と前記医療機関優先度記憶部との少なくとも２つ以上が記憶した優先度から計算される混合優先度が高いほど優先して表示する
ことを特徴とする。
【００１３】
前記気象優先度記憶部が記憶する優先度と、前記季節優先度記憶部が記憶する優先度と、前記患者優先度記憶部が記憶する優先度と、前記医療機関優先度記憶部が記憶する優先度との値の大きさは、どの記憶部が記憶する優先度を重視するかによって変更される
ことを特徴とする。
【００１４】
前記表示部は、前記各医薬品の情報の一覧を表示し、優先して表示する医薬品の情報ほど、前記一覧の上位に表示する
ことを特徴とする。
【００１５】
前記処方箋入力装置は、さらに、
検索条件を入力する検索条件入力部と、
前記検索条件入力部が入力した検索条件を満たす医薬品の情報を前記医薬品記憶部から取得する医薬品情報取得部と
を備え、
前記表示部は、前記医薬品情報取得部が取得した医薬品の情報を表示する
ことを特徴とする。
【００１６】
この発明に係る処方箋入力プログラムは、
気象条件を取得する気象条件取得処理と、
記憶装置に記憶された各医薬品の情報を、その医薬品と、前記気象条件取得処理で取得した気象条件とに対して、記憶装置に記憶された優先度が高いほど優先して表示する表示処理と、
前記表示処理で表示した医薬品の情報から、ユーザによって選択された医薬品の情報の入力を受け付ける入力処理と
をコンピュータに実行させることを特徴とする。
【発明の効果】
【００１７】
この発明に係る処方箋入力装置は、気象条件に応じて、処方される可能性の高い医薬品情報を優先的に表示する。そのため、検索を行わなくても、入力する医薬品をすぐに見つけられる場合が増え、効率的に入力作業を行うことが可能となる。
【図面の簡単な説明】
【００１８】
【図１】実施の形態１に係る処方箋入力装置１００が表示する入力画面を示す図。
【図２】実施の形態１に係る処方箋入力装置１００が表示する、医薬品の情報の一覧表示画面を示す図。
【図３】実施の形態１に係る処方箋入力装置１００の構成図。
【図４】一般名ＤＢ３１が記憶する情報を示す図。
【図５】医薬品ＤＢ３２が記憶する情報を示す図。
【図６】気象条件ＤＢ３３が記憶する情報を示す図。
【図７】季節ＤＢ３４が記憶する情報を示す図。
【図８】患者ＤＢ３５が記憶する情報を示す図。
【図９】医療機関ＤＢ３６が記憶する情報を示す図。
【図１０】実施の形態１に係る処方箋入力装置１００の処理を示すフローチャート。
【図１１】実施の形態１に示した処方箋入力装置１００のハードウェア構成の例を示す図。
【発明を実施するための形態】
【００１９】
実施の形態１．
図１は、実施の形態１に係る処方箋入力装置１００が表示する入力画面を示す図である。
処方箋入力装置１００は、入力画面を表示装置に表示し、ユーザに入力装置を介して処方箋に印刷された情報を入力画面の各入力欄に入力させる。
【００２０】
処方箋入力装置１００は、紙の処方箋に記載された以下の情報を入力させる。
（１）患者の氏名や住所等の基本情報、及び、保険情報
（２）処方箋を交付した医療機関名、及び、医師名
（３）処方箋を交付した日付、及び、調剤を実施した日付
（４）調剤を実施した医薬品、分量、服用時点、日数（回数）
【００２１】
処方箋入力装置１００は、（１）から（３）の情報については、処方箋に記載された通りに、キーボード等を使用して順に入力させる。
なお、の患者の基本情報、及び、保険情報については、患者の氏名等によって過去に入力された患者の基本情報を検索させ、入力できるようにしてもよい。また、医療機関、及び、医師名については、よく入力される医療機関、及び、医師名を表示し、選択させて入力できるようにしてもよい。
【００２２】
処方箋入力装置１００は、（４）の情報については、入力欄にカーソルが来た場合や、何らかの操作がされた場合に、予め調剤される可能性が高い医薬品を予測して、医薬品情報を一覧表示する。一覧表示した医薬品から該当の医薬品を選択させる。そして、分量等の情報を追加で入力させる。
【００２３】
図２は、実施の形態１に係る処方箋入力装置１００が表示する、医薬品情報の一覧表示画面を示す図である。
図２に示すように、（４）の情報については、気象条件、季節、患者、医療機関の４つのうち少なくとも１つを条件として選択させ、その条件においてよく調剤される医薬品が、調剤される可能性が高い医薬品として予測される。
気象条件であれば、過去所定期間（例えば１週間）の天候、気温、湿度等の気象条件において、よく調剤される医薬品が特定される。例えば、台風の通過直後にはぜんそくが発症し易い等、気象条件に応じてよく調剤される医薬品がある。
季節であれば、調剤時点の季節において、よく調剤される医薬品が特定される。例えば、冬季にはインフルエンザが発症し易い等、季節に応じてよく調剤される医薬品がある。
患者であれば、（１）で情報が入力された患者に対して、よく調剤される医薬品が特定される。例えば、患者によっては定期的に同じ薬が処方される等、患者に応じてよく調剤される医薬品がある。
医療機関であれば、（２）で情報が入力された医療機関において、よく調剤される医薬品が特定される。例えば、医療機関によっては、ある病気に対して処方する薬が決まっている等、医療機関に応じてよく調剤される医薬品がある。
【００２４】
図３は、実施の形態１に係る処方箋入力装置１００の構成図である。
処方箋入力装置１００は、入出力部１０、処理部２０、記憶部３０を備える。
【００２５】
入出力部１０は、入力部１１、出力部１２（表示部）を備える。
入力部１１は、表示装置に入力画面を表示し、ユーザによるキーボード等の入力装置の操作に応じて入力画面に入力された情報を受け付ける。出力部１２は、処理部２０によって得られた医薬品情報を、処理部２０によって決定された表示順で出力して、入力画面に表示する。
【００２６】
処理部２０は、医薬品抽出部２１（医薬品情報取得部）、条件取得部２２（気象条件取得部、季節情報取得部、患者情報取得部、医療機関情報取得部）、優先度計算部２３、表示順決定部２４を備える。
医薬品抽出部２１は、医薬品情報を抽出する。条件取得部２２は、気象条件、季節、患者、医療機関のうち、使用する条件に関する情報を取得する。優先度計算部２３は、条件に基づき、各医薬品の優先度を計算する。表示順決定部２４は、優先度が高い医薬品ほど医薬品情報が優先して表示されるように、医薬品情報の表示順を決定する。
【００２７】
記憶部３０は、一般名ＤＢ３１、医薬品ＤＢ３２（医薬品記憶部）、気象条件ＤＢ３３（気象優先度記憶部）、季節ＤＢ３４（季節優先度記憶部）、患者ＤＢ３５（患者優先度記憶部）、医療機関ＤＢ３６（医療機関優先度記憶部）を備える。
一般名ＤＢ３１は、図４に示すように、医薬品の一般名名称毎に、一般名略称（コード）、医薬品名称を記憶する記憶装置である。医薬品ＤＢ３２は、図５に示すように、医薬品名称毎に、医薬品略称（コード）、後発医薬品の有無、分類等の情報を記憶する記憶装置である。気象条件ＤＢ３３は、図６に示すように、医薬品名称及び気象条件毎に、優先度を記憶する記憶装置である。季節ＤＢ３４は、図７に示すように、医薬品名称及び季節毎に、優先度を記憶する記憶装置である。患者ＤＢ３５は、図８に示すように、医薬品名称及び患者名称毎に、優先度を記憶する記憶装置である。医療機関ＤＢ３６は、図９に示すように、医薬品名称及び医療機関名称毎に、優先度を記憶する記憶装置である。
【００２８】
図１０は、実施の形態１に係る処方箋入力装置１００の処理を示すフローチャートである。
（Ｓ１：入力画面表示処理）
処方箋入力装置１００が起動されると、入力部１１が図１に示す入力画面を表示装置に表示する。
【００２９】
（Ｓ２：入力処理１）
ユーザによるキーボード等の入力装置の操作によって（１）から（３）の情報が入力画面に入力され、入力部１１が入力された情報を受け付ける。
【００３０】
（Ｓ３：入力処理２）
ユーザによるキーボード等の入力装置の操作によって、図２に示す一覧表示画面が表示される。そして、ユーザによるキーボード等の入力装置の操作によって、気象条件、季節、患者、医療機関の４つのうち、使用する条件が入力され、入力部１１が入力された情報を受け付ける。
ここでは、図２に示す一覧表示画面において、気象条件、季節、患者、医療機関それぞれに付されたチェックボックスにチェックが付けられたか否かにより、使用する条件が入力される。例えば、気象条件及び医療機関のチェックボックスにチェックが付けられ、季節及び患者のチェックボックスにチェックが付けられていない場合、気象条件及び医療機関を条件として使用することが入力されたことになる。
また、図２に示す一覧表示画面において、ユーザは、表示する医薬品情報を絞り込むために、医薬品の薬品名や一般名や略称等の一部をキーワードとして、絞り込み欄に入力してもよい。キーワードが入力される場合、薬品名と一般名とのどちらを入力したかを示すラジオボタンも合わせて選択される。
【００３１】
（Ｓ４：医薬品情報抽出処理）
医薬品抽出部２１は、一般名ＤＢ３１及び医薬品ＤＢ３２から医薬品情報を抽出する。抽出される医薬品情報は、医薬品名称、一般名名称、後発医薬品の有無、分類等である。
医薬品抽出部２１は、Ｓ３でキーワードが入力されていない場合には、全ての医薬品についての医薬品情報を抽出する。一方、医薬品抽出部２１は、Ｓ３でキーワードが入力された場合には、キーワードに該当する医薬品の医薬品情報のみ抽出する。
医薬品抽出部２１は、薬品名を選択してキーワードが入力された場合には、医薬品ＤＢ３２の医薬品名称と医薬品略称との少なくともいずれかがキーワードに合致する医薬品についての医薬品情報を抽出する。また、医薬品抽出部２１は、一般名を選択してキーワードが入力された場合には、一般名ＤＢ３１の一般名名称と一般名略称との少なくともいずれかがキーワードに合致する医薬品についての医薬品情報を抽出する。
【００３２】
（Ｓ５：条件取得処理）
条件取得部２２は、Ｓ３で入力された使用する条件に関する情報を取得する。
条件取得部２２（気象条件取得部）は、Ｓ３で気象条件を使用すると入力された場合には、インターネット等を介して外部のサーバから過去所定期間の気象条件を取得する。また、条件取得部２２（季節情報取得部）は、Ｓ３で季節を使用すると入力された場合には、処方箋入力装置１００内部の時計から現在の日付（季節情報の一例）を取得する。また、条件取得部２２（患者情報取得部）は、Ｓ３で患者を使用すると入力された場合には、Ｓ２で入力された患者の情報を取得する。また、条件取得部２２（医療機関情報取得部）は、Ｓ３で医療機関を使用すると入力された場合には、Ｓ２で入力された医療機関の情報を取得する。
【００３３】
（Ｓ６：優先度計算処理）
優先度計算部２３は、Ｓ５で取得された情報に基づき、Ｓ４で医薬品情報が抽出された各医薬品についての優先度を計算する。
優先度計算部２３は、Ｓ４で医薬品情報が抽出された各医薬品について、Ｓ５で取得された情報に対応する優先度を取得する。優先度計算部２３は、Ｓ３で気象条件を使用すると入力された場合には、各医薬品について、その医薬品と、Ｓ５で取得された気象条件とに対して気象条件ＤＢ３３が記憶した優先度を取得する。優先度計算部２３は、Ｓ３で季節を使用すると入力された場合には、各医薬品について、その医薬品と、Ｓ５で取得された日付が示す季節とに対して季節ＤＢ３４が記憶した優先度を取得する。優先度計算部２３は、Ｓ３で患者を使用すると入力された場合には、各医薬品について、その医薬品と、Ｓ５で取得された患者の情報が示す患者とに対して患者ＤＢ３５が記憶した優先度を取得する。優先度計算部２３は、Ｓ３で医療機関を使用すると入力された場合には、各医薬品について、その医薬品と、Ｓ５で取得された医療機関の情報が示す医療機関とに対して医療機関ＤＢ３６が記憶した優先度を取得する。
優先度計算部２３は、Ｓ３で使用する条件が複数入力されている場合には、医薬品毎に、その医薬品について取得された優先度の合計値を、その医薬品の優先度（混合優先度）として計算する。
【００３４】
（Ｓ７：表示順決定処理）
表示順決定部２４は、Ｓ６で得られた優先度が高い医薬品ほど優先して（ここでは、一覧で上に表示されるように）、Ｓ４で抽出された医薬品情報の表示順を決定する。
【００３５】
（Ｓ８：医薬品情報表示処理）
出力部１２は、Ｓ４で抽出された医薬品情報と、Ｓ７で決定された表示順とを処理部２０から取得し、取得した医薬品情報を取得した表示順に表示装置に表示する。
【００３６】
（Ｓ９：入力処理３）
ユーザによるキーボード等の入力装置の操作によって、表示された医薬品情報から医薬品情報が選択され、入力部１１が入力された情報を受け付ける。そして、ユーザによるキーボード等の入力装置の操作によって、分量等の情報が追加で入力され、入力部１１が入力された情報を受け付ける。
【００３７】
ユーザは、Ｓ８で表示された医薬品情報から、入力した医薬品の医薬品情報が見つけられない場合には、Ｓ３へ処理を戻し、改めて使用する条件やキーワードを入力すればよい。
【００３８】
以上のように、実施の形態１に係る処方箋入力装置１００では、気象条件、季節、患者、医療機関の少なくともいずれかを条件として、よく調剤される医薬品の医薬品情報ほど優先して表示する。そのため、キーワードを入力して検索を行わない場合であっても、処方箋に記載された、入力しようとしている医薬品情報を見つけられる可能性が高い。したがって、処方箋の情報の入力作業を効率的に行うことができる。
【００３９】
なお、上記説明では、Ｓ３で使用する条件を入力するとした。例えば、図２に示す一覧表示画面において、予め指定された条件のチェックボックスには初めからチェックを入れておくようにしてもよい。そして、図２に示す一覧表示画面が表示された時点で、予め指定された条件により計算された優先度に従い表示順を決定して、医薬品情報を表示するようにしてもよい。
【００４０】
また、上記説明では、Ｓ３で使用する条件が複数入力された場合に、Ｓ６で、医薬品毎に、その医薬品について取得された優先度の合計値を、その医薬品の優先度とした。条件毎に、ＤＢ３３〜３６に記憶する優先度の値の大きさを制御することにより、どの条件をより重視するかを制御することが可能である。例えば、気象条件ＤＢ３３に記憶された優先度の値を、他のＤＢ３４〜３６に記憶された優先度の値よりも大きめに設定しておけば、気象条件に基づく優先度がより重視されるようになる。
【００４１】
また、上記説明では、Ｓ３で複数の条件を入力可能とした。しかし、いずれか１つの条件のみ入力可能としてもよい。この場合、図２に示す一覧表示画面におけるチェックボックスをラジオボタンに変更すればよい。
【００４２】
また、上記説明では、患者名称を患者の識別情報として用いた。しかし、患者名称だけでは患者を一意に特定できない可能性もある。そのため、患者名称に代えて、各患者に割り当てた患者ＩＤを患者の識別情報として用いてもよい。医療機関に関しても、医療機関名称に代えて、医療機関毎に割り当てた医療機関ＩＤを医療機関の識別情報として用いてもよい。
【００４３】
図１１は、実施の形態１に示した処方箋入力装置１００のハードウェア構成の例を示す図である。
処方箋入力装置１００は、コンピュータである。処方箋入力装置１００の各要素をプログラムで実現することができる。
処方箋入力装置１００のハードウェア構成としては、バスに、演算装置９０１、外部記憶装置９０２、主記憶装置９０３、通信装置９０４、入出力装置９０５が接続されている。
【００４４】
演算装置９０１は、プログラムを実行するＣＰＵ（Ｃｅｎｔｒａｌ  Ｐｒｏｃｅｓｓｉｎｇ  Ｕｎｉｔ）等である。外部記憶装置９０２は、例えばＲＯＭ（Ｒｅａｄ  Ｏｎｌｙ  Ｍｅｍｏｒｙ）やフラッシュメモリ、ハードディスク装置等である。主記憶装置９０３は、例えばＲＡＭ（Ｒａｎｄｏｍ  Ａｃｃｅｓｓ  Ｍｅｍｏｒｙ）等である。通信装置９０４は、例えば通信ボード等である。入出力装置９０５は、例えばマウス、キーボード、表示装置等である。
【００４５】
プログラムは、通常は外部記憶装置９０２に記憶されており、主記憶装置９０３にロードされた状態で、順次演算装置９０１に読み込まれ、実行される。
プログラムは、入出力部１０及び処理部２０の各部として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、上記プログラムを実行する。
また、実施の形態１の説明において、記憶部３０の各部が記憶する等と説明した情報等が外部記憶装置９０２にファイルとして記憶されている。
【００４６】
なお、図１１の構成は、あくまでも処方箋入力装置１００のハードウェア構成の一例を示すものであり、処方箋入力装置１００のハードウェア構成は図１１に記載の構成に限らず、他の構成であってもよい。
【符号の説明】
【００４７】
１０  入出力部、１１  入力部、１２  出力部、２０  処理部、２１  医薬品抽出部、２２  条件取得部、２３  優先度計算部、２４  表示順決定部、３０  記憶部、３１  一般名ＤＢ、３２  医薬品ＤＢ、３３  気象条件ＤＢ、３４  季節ＤＢ、３５  患者ＤＢ、３６  医療機関ＤＢ、１００  処方箋入力装置。
【図１】
0005919321.tif 000002
【図２】
0005919321.tif 000003
【図３】
0005919321.tif 000004
【図４】
0005919321.tif 000005
【図５】
0005919321.tif 000006
【図６】
0005919321.tif 000007
【図７】
0005919321.tif 000008
【図８】
0005919321.tif 000009
【図９】
0005919321.tif 000010
【図１０】
0005919321.tif 000011
【図１１】
0005919321.tif 000012